(57)【要約】【課題】施工場所での火気の使用が制限されている場合にも、防草構造体を施工することができる施工方法を得る。【解決手段】舗装面に隣接した防草区域に、防草シート本体含む防草構造体を設置するための施工方法であって、防草シート本体の第一端部を、舗装面端部に重なるように配置する工程（Ａ）と、防草シート本体の第一端部を、テープ接着によって舗装面端部に固定する工程（Ｂ）と、防草シート本体の第一端部を、さらに第一の釘状器具によって舗装面端部に固定する工程（Ｃ）と、防草シート本体の第一端部とは反対側の第二端部を、第二の釘状器具によって地面に固定する工程（Ｄ）とを含む、防草構造体の施工方法である。【選択図】図１
2010071028.tif 000002
【特許請求の範囲】
【請求項１】
舗装面に隣接した防草区域に、防草シート本体含む防草構造体を設置するための施工方法であって、
防草シート本体の第一端部を、舗装面端部に重なるように配置する工程（Ａ）と、
防草シート本体の第一端部を、粘着材接着及び／又はテープ接着によって舗装面端部に固定する工程（Ｂ）と、
防草シート本体の第一端部を、さらに第一の釘状器具によって舗装面端部に固定する工程（Ｃ）と、
防草シート本体の第一端部とは反対側の第二端部を、第二の釘状器具によって地面に固定する工程（Ｄ）とを含む、防草構造体の施工方法。
【請求項２】
舗装面が、アスファルト舗装道路の舗装面であり、防草区域が、アスファルト舗装道路の法面である、請求項１記載の施工方法。
【請求項３】
防草区域が、取付物が取り付けられている支柱を有し、工程（Ａ）の前に、
防草シート本体の、支柱位置に対応する防草シート本体の位置に本体開口部及び本体開口部の１点と防草シート本体の端部の１点との間に本体切断部を形成する工程と、
パッチシートに、パッチ開口部及びパッチ開口部の１点とパッチシートの端部の１点との間にパッチ切断部を形成する工程と、
本体切断部に支柱を通過させることによって、支柱を防草シート本体の本体開口部に貫通さる工程と
をさらに含み、工程（Ａ）の後に、
パッチ切断部に支柱を通過させることによって、支柱をパッチシートのパッチ開口部に貫通させ、本体切断部を全て覆いかつ本体切断部とパッチ切断部とが重ならないように、防草シート本体上にパッチシートを敷設する工程と、
パッチシートを、粘着材接着及び／又はテープ接着によって防草シート本体に固定する工程と
をさらに含む、請求項１又は２記載の施工方法。
【請求項４】
支柱貫通前の本体開口部の形状が、支柱の断面の形状と相似形状であり、かつ支柱の断面の形状の最長寸法より１〜２０ｍｍ大きい、請求項３記載の施工方法。
【請求項５】
本体切断部を、本体開口部の１点と防草シート本体の端部の１点との距離が、最短距離となるように形成する、請求項３又は４記載の施工方法。
【請求項６】
パッチシートの形状が、正方形又は長方形であり、正方形又は長方形の一辺の長さが、支柱の断面の形状の最長寸法Ｄｐより１００〜４００ｍｍ長い、請求項３〜５のいずれか１項記載の施工方法。
【請求項７】
本体切断部及びパッチ切断部の形状が直線状であり、パッチシートを敷設する工程において、本体切断部とパッチ切断部との支柱中心位置を中心とした角度が、９０〜２７０度であるようにパッチシートを敷設する、請求項３〜６のいずれか１項記載の施工方法。
【請求項８】
本体開口部と支柱との間及び／又はパッチ開口部と支柱との間に、シリコン系シール材を充填する工程をさらに含む、請求項３〜７のいずれか１項記載の施工方法。
【請求項９】
支柱貫通前のパッチ開口部の形状が、支柱の断面の形状と相似形状である、請求項３〜８のいずれか１項記載の施工方法。
【請求項１０】
支柱貫通前のパッチ開口部の形状の最長寸法Ｄｈと、支柱の断面の形状の最長寸法Ｄｐとの比Ｄｈ／Ｄｐが、０．９〜１．１である、請求項９記載の施工方法。
【請求項１１】
パッチシートが、少なくとも平面方向に伸び性を有し、パッチシートの引張伸び率が、２０％以上である、請求項９又は１０記載の施工方法。
【請求項１２】
防草シート本体及び／又はパッチシートが、耐貫通型防草シートである、請求項１〜１１のいずれか１項記載の施工方法。
【請求項１３】
取付物が、ガードレールである、請求項３〜１２のいずれか１記載の施工方法。
【請求項１４】
請求項１〜１３のいずれか１項記載の施工方法により施工される、防草構造体。
【発明の詳細な説明】
【技術分野】
【０００１】
本発明は、草の成育を防止する必要がある場所、特に支柱を既に有する場所に配置する、防草シートを含む防草構造体及びその施工方法に関する。
【背景技術】
【０００２】
道路、線路、河川、公園及び造林園など並びにこれらの周辺の地面、表面、特に法面などでは、美観が損なわれるなどの理由により、雑草などの草の成育を防止する必要があることが多い。特に、道路の路肩及びそれに隣接する法面においては、雑草が繁茂することにより、美観が損なわれるだけでなく、交通の安全が損なわれる可能性がある。そのため、それらの場所では、草の成育を防止する必要がある。
【０００３】
草の成育の防止のためには、例えば、特許文献１に開示されているような防草シートが用いられている。
【０００４】
草の成育を防止するための構造体として、例えば、特許文献２には、法面部上端の路肩部に敷設されるコンクリートブロック部と、そのコンクリートブロック部の法面側に一端部が一体的に固定された防草シート部とからなり、コンクリートブロック部を路肩部に布設した状態で、防草シート部を法面部上に展開して法面部を被覆可能とした路肩ブロックが開示されている。
【０００５】
また、特許文献３には、シート両面に多数の凸部を交互に形成した遮光性かつ遮水性の合成樹脂製エンボスシート（防草シート）を、除草すべき地面に敷設、固定したことを特徴とする防草構体が開示されている。この特許文献３には、路肩にガードレールがある場合には、ガードレール支柱と、エンボスシート（防草シート）に形成したガードレール支柱の挿通孔との隙間に、コーキング材を詰めることが開示されている。
【特許文献１】特開２００２−２７２３４８号公報
【特許文献２】特開２００５−３０７５１８号公報
【特許文献３】特開２００６−１７７１２２号公報
【発明の開示】
【発明が解決しようとする課題】
【０００６】
本発明は、施工場所での火気の使用が制限されている場合にも、防草構造体を施工することができる施工方法を得ることを目的とする。特に、ガードレール、道路標識や信号等の取付物が取り付けられている支柱を有する防草区域であっても、防草区域全体にわたって草の生育を防止し、特に防草シートと支柱との隙間からの草の生育を防止するための、簡便で低コストの防草構造体の施工を、火気の使用が制限されている場合にも行うことのできる方法及び施工方法により設置する防草構造体を得ることを目的とする。
【課題を解決するための手段】
【０００７】
本発明は、舗装面に隣接した防草区域に、防草シート本体含む防草構造体を設置するための施工方法であって、防草シート本体の第一端部を、舗装面端部に重なるように配置する工程（Ａ）と、防草シート本体の第一端部を、テープ接着によって舗装面端部に固定する工程（Ｂ）と、防草シート本体の第一端部を、さらに第一の釘状器具によって舗装面端部に固定する工程（Ｃ）と、防草シート本体の第一端部とは反対側の第二端部を、第二の釘状器具によって地面に固定する工程（Ｄ）とを含む、防草構造体の施工方法である。
【０００８】
本発明の施工方法の好ましい態様を以下に示す。本発明では、これらの態様を適宜組み合わせることができる。
（１）舗装面が、アスファルト舗装道路の舗装面であり、防草区域が、アスファルト舗装道路の法面である。
（２）防草区域が、取付物が取り付けられている支柱を有し、工程（Ａ）の前に、防草シート本体の、支柱位置に対応する防草シート本体の位置に本体開口部及び本体開口部の１点と防草シート本体の端部の１点との間に本体切断部を形成する工程と、パッチシートに、パッチ開口部及びパッチ開口部の１点とパッチシートの端部の１点との間にパッチ切断部を形成する工程と、本体切断部に支柱を通過させることによって、支柱を防草シート本体の本体開口部に貫通さる工程とをさらに含み、工程（Ａ）の後に、パッチ切断部に支柱を通過させることによって、支柱をパッチシートのパッチ開口部に貫通させ、本体切断部を全て覆いかつ本体切断部とパッチ切断部とが重ならないように、防草シート本体上にパッチシートを敷設する工程と、パッチシートを、テープ接着によって防草シート本体に固定する工程とをさらに含む。
（３）支柱貫通前の本体開口部の形状が、支柱の断面の形状と相似形状であり、かつ支柱の断面の形状の最長寸法より１〜２０ｍｍ大きい。
（４）本体切断部を、本体開口部の１点と防草シート本体の端部の１点との距離が、最短距離となるように形成する。
（５）パッチシートの形状が、正方形又は長方形であり、正方形又は長方形の一辺の長さが、支柱の断面の形状の最長寸法Ｄｐより１００〜４００ｍｍ長い。
（６）本体切断部及びパッチ切断部の形状が直線状であり、パッチシートを敷設する工程において、本体切断部とパッチ切断部との支柱中心位置を中心とした角度が、９０〜２７０度であるようにパッチシートを敷設する。
（７）本体開口部と支柱との間及び／又はパッチ開口部と支柱との間に、シリコン系シール材を充填する工程をさらに含む。
（８）支柱貫通前のパッチ開口部の形状が、支柱の断面の形状と相似形状である。（９）支柱貫通前のパッチ開口部の形状の最長寸法Ｄｈと、支柱の断面の形状の最長寸法Ｄｐとの比Ｄｈ／Ｄｐが、０．９〜１．１である。
（１０）パッチシートが、少なくとも平面方向に伸び性を有し、パッチシートの引張伸び率が、２０％以上である。
（１１）防草シート本体及び／又はパッチシートが、耐貫通型防草シートである。
（１２）取付物が、ガードレールである。
【０００９】
また、本発明は、上述の施工方法により施工される、防草構造体である。
【発明の効果】
【００１０】
本発明によって、施工場所での火気の使用が制限されている場合にも、防草構造体を施工することができる。特に、本発明によって、ガードレール、道路標識や信号等の取付物が取り付けられている支柱を有する防草区域であっても、防草区域全体にわたって草の生育を防止し、特に防草シートと支柱との隙間からの草の生育を防止するための、簡便で低コストの防草構造体の施工を、火気の使用が制限されている場合にも行うことのできる施工方法及びその施工方法により設置する防草構造体を得ることができる。
【発明を実施するための最良の形態】
【００１１】
本発明の防草構造体の施工方法は、施工場所での火気の使用が好ましくない場所及び施工場所での火気の使用が制限されている場所への防草構造体の施工方法に関する。特に、本発明の防草構造体の施工方法は、ガードレール、道路標識や信号等が取り付けられている支柱を有する防草区域に対して防草構造体を施工することが容易であり、かつ、高い防草効果を得ることができる施工方法であって、施工場所での火気の使用が好ましくない場合、あるいは制限されている場合にも適用できる防草構造体の施工方法に関する。本明細書では、支柱に取り付けられているガードレール、道路標識や信号等を「取付物」という。また、防草構造体を設置する区域を「防草区域」という。また、「粘着材接着法」とは、二つの物体の間の少なくとも一部に、改質アスファルトを含む目止め材などの粘着材を塗布し、二つの物体及び粘着材塗布層を加圧し、粘着することにより、二つの物体を固定する固定方法である。「テープ接着法」とは、二つの物体の間の少なくとも一部に、両面に接着性のあるアスファルトテープなどの粘着性テープ（両面粘着テープ）を挟み、二つの物体及び両面粘着テープを加圧し、粘着することにより、二つの物体を固定する固定方法である。
【００１２】
一般に、草の成育を防止するために防草構造体を設置する場所（防草区域）に、支柱のみが存在する場合、図１０及び図１１に示すように、防草シート（防草シート本体１０）に開口部を設けて支柱にかぶせるという敷設方法をとることにより、本発明の防草構造体を施工することができる。この場合に、防草シート本体１０の端部を、舗装面端部２２に粘着材接着法及び／又はテープ接着法により接着することにより、施工場所での火気の使用が好ましくない場合、あるいは制限されている場合にも、防草構造体を施工することができる。
【００１３】
また、防草区域に、ガードレール、道路標識や信号等を取り付けた支柱が既に存在している場合がある。防草構造体をこのような場所に設置する際には、支柱にはガードレールや標識が取り付けられているため、防草シートに開口部を設けて支柱にかぶせるという敷設方法をとることはできない。この場合には、以下に述べる方法によって、本発明の防草構造体を施工することができる。
【００１４】
＜防草構造体＞
本発明の防草構造体の上面模式図を図１に、支柱２３を含む断面模式図を図８に示す。図１及び図８に図示されている支柱２３には、ガードレール２４が取り付けられている。本発明の防草構造体は、所定の防草シート本体１０及び所定のパッチシート４０を用いることにより、本発明の防草構造体を設置した区域（防草区域）全体にわたって草の生育を防止することができる。特に、防草区域が、ガードレール、道路標識や信号等（取付物）が既に取り付けられた支柱２３を有する場合、本発明の防草構造体を設置すると、支柱２３と防草シート本体１０及びパッチシート４０との隙間を無くすことができる。そのため、本発明の防草構造体を用いることによって、支柱２３と防草シート本体１０及びパッチシート４０との間の隙間からの草の生育を、簡便で低コストの施工方法により防止することができる。また、防草シート本体１０及びパッチシート４０の接着を、粘着材接着法及び／又はテープ接着法により接着することにより、施工場所での火気の使用が好ましくない場合、あるいは制限されている場合にも、防草構造体を施工することができる。なお、図８において、粘着材接着法及び／又はテープ接着法により接着している部分を接着層４５として示す。
【００１５】
図２に、本発明の防草構造体を設置するのに好適な場所の断面模式図を示す。図２に示す防草区域には、ガードレール２４が取り付けられている支柱２３を有する。図１及び図８に、本発明の防草構造体を、図２に示すような場所に設置した例を示す。図１には本発明の防草構造体の上面模式図を、図８にはその断面模式図を示す。これらの図には、本発明の防草構造体をアスファルト舗装道路の法面３０の防草区域に配置した例を示している。「法面」とは、道路や線路及びこれらの周辺の斜面、切り土又は盛土などでできた斜面、段差のある２つの地表面の間の斜面、２つの地表面の間の斜面及び２つの地表面の間などを意味する。図１及び図８に示すように、本発明の防草構造体は、所定の防草シート本体１０及び所定のパッチシート４０を含み、これらに対して支柱２３が貫通している。後述するように、本発明の防草構造体を設置する際には、所定の防草シート本体１０及び所定のパッチシート４０に対する支柱２３の貫通を簡単に行うことができる。
【００１６】
＜防草シート本体＞
図３に、所定の防草シート本体１０の一例を示す。防草シート本体１０には、支柱位置に対応する防草シート本体１０の位置に、支柱２３を貫通させるための本体開口部１１が形成されている。「支柱位置に対応する位置」とは、ある防草区域の所定の場所に防草シート本体１０を敷設する際に、その防草シート本体１０とその防草区域に配置される支柱２３とが重なる位置のことである。
【００１７】
防草シート本体１０は、本体開口部１１と防草シート本体１０の端部の１点との間を切断した部分である本体切断部４３を有する。そのため、防草シート本体１０の敷設の際、本体切断部４３に支柱２３を通過させることによって、図５及び図６に示すように、支柱２３を本体開口部１１に貫通した状態にすることが容易である。したがって、支柱２３にガードレール等の取付物が取り付けられている場合でも、防草シート本体１０を容易に敷設することができる。
【００１８】
なお、図１では、支柱２３が円柱であり、その断面形状が円形である場合について示しているが、支柱２３の断面形状は円形以外の形状、例えば、三角形、四角形などの多角形や楕円形等、任意の形状であることができる。本発明の防草構造体に用いる防草シート本体１０の本体開口部１１の形状は、支柱２３の断面の形状と相似形状であることが好ましい。
【００１９】
図１に示す防草構造体は、１枚の防草シート本体１０が一つの本体開口部１１を有する場合を図示したが、１枚の防草シート本体１０は、二つ以上の支柱２３を貫通させるために、二つ以上の本体開口部１１を有することができる。このような場合には、複数の支柱位置に対応する防草シート本体１０の位置に、複数の本体開口部１１を正確に形成することは困難である。そのため、本体開口部１１は、支柱２３の断面の形状の最長寸法より１〜２０ｍｍ大きいことが好ましい。「形状の最長寸法」とは、その形状の任意の２点を結ぶ直線の長さの中で最長の長さをいう。例えば、支柱２３の断面の形状が円の場合は、支柱２３の形状の最長寸法は円の直径である。また、支柱２３の形状が長方形の場合には、最長寸法は対角線の長さである。
【００２０】
草の生育をより確実に防止する点から、防草シート本体１０の本体切断部４３をなるべく短くすることが好ましい。したがって、図３の例で示すように、防草シート本体１０において、本体切断部４３を、本体開口部１１の１点と防草シート本体１０の端部の１点との距離が、最短距離となるような直線状に形成することが好ましい。なお、図３においては、本体開口部１１から防草シート本体１０の右辺の端部に向かって本体切断部４３を形成するように図示している。本体開口部１１の位置によっては、図３の防草シート本体１０の上辺、下辺又は左辺の端部に向かって本体切断部４３を形成することにより、本体切断部４３を最短とすることができる。
【００２１】
＜パッチシート＞
本発明の防草構造体は、パッチシート４０を含む。パッチシート４０の一例を、図４に示す。パッチシート４０は、パッチ開口部４２及びパッチ切断部４４を有する。パッチシート４０は、防草シート本体１０上に敷設される。パッチ開口部４２は、パッチシート４０を支柱２３に貫通させるための開口部である。
【００２２】
パッチシート４０は、パッチ開口部４２とパッチシート４０との端部の１点との間を切断した部分であるパッチ切断部４４を有する。パッチシート４０を防草シート本体１０上に敷設する際に、パッチ切断部４４に支柱２３を通過させることによって、図７及び図８に示すように、支柱２３がパッチ開口部４２を貫通する状態にすることができる。そのため、支柱２３にガードレール等の取付物が取り付けられている場合でも、パッチシート４０を容易に敷設することができる。
【００２３】
パッチシート４０を防草シート本体１０上に敷設する際には、パッチシート４０が、防草シート本体１０の本体切断部４３を全て覆うように敷設する。また、このとき、本体切断部４３とパッチ切断部４４が重ならないように、パッチシート４０を敷設する。このようにパッチシート４０を防草シート本体１０上に敷設することによって、本体切断部４３の全体がパッチシート４０のパッチ切断部４４ではない部分に覆われることになるので、防草シート本体１０の本体切断部４３からの草の生育を防止することができる。
【００２４】
防草シート本体１０と、防草シート本体１０上に敷設したパッチシート４０とは、粘着材接着法及び／又はテープ接着法により固定することが好ましい。
【００２５】
粘着材接着法により固定する場合、具体的には、防草シート本体１０の表面と、パッチシート４０の裏面との間の防草シート本体１０の表面に、改質アスファルトを含む目止め材などの粘着材を塗布し、加圧し、粘着することにより接着層４５を形成し、防草シート本体１０の表面とパッチシート４０の裏面とを固定することができる。なお、防草シート本体１０の表面に無機質粒子などが配置される場合があるが、改質アスファルトを含む目止め材などの粘着材が無機質粒子間に充填されて、密実な粘着材塗布層が形成されるため無機質粒子を除去する必要はない。粘着材のみを用いた固定の場合には、粘着材が無機質粒子などと渾然とした状態になるので、明確な層状の接着層４５を形成しなくなる。しかしながら、所定の場所に粘着材が存在して被接着物同士を接着すれば良いので、接着層４５は明確な層状である必要は無い。
【００２６】
テープ接着法により接着層４５を形成して固定する場合、具体的には、防草シート本体１０の表面と、パッチシート４０の裏面との間に、全体の大きさがパッチシート４０の大きさ以下である両面粘着テープを挟み、加圧し、粘着することにより、防草シート本体１０の表面とパッチシート４０の裏面とを固定することができる。なお、防草シート本体１０の表面に無機質粒子などが配置される場合があるが、両面粘着テープを挟む前に、両面粘着テープにより接着する場所に位置する無機質粒子を除去することが好ましい。
【００２７】
粘着材接着法及びテープ接着法により接着層４５を形成して固定する場合、具体的には、防草シート本体１０の表面と、パッチシート４０の裏面との間の防草シート本体１０の表面に、改質アスファルトを含む目止め材などの粘着材を塗布し、粘着材の塗布層の表面と、パッチシート４０の裏面との間に、全体の大きさがパッチシート４０の大きさ以下である両面粘着テープを挟み、加圧し、粘着することにより、防草シート本体１０の表面とパッチシート４０の裏面とを固定することができる。なお、防草シート本体１０の表面に無機質粒子などが配置される場合があるが、改質アスファルトを含む目止め材などの粘着材が無機質粒子間に充填されて、密実な粘着材塗布層が形成されるため無機質粒子を除去する必要はない。
【００２８】
粘着材接着法及び／又はテープ接着法を用いて接着層４５を形成し固定すると、加熱融着法と同等の接着強度を得ることができる。住宅地近傍への設置の場合や、設置箇所近傍に下草等の可燃物が多い場合など、火気の使用が好ましくない場合、あるいは制限されている場合に、粘着材接着法及び／又はテープ接着法を用いて防草構造体を施工することができる。
【００２９】
パッチシート４０は、敷設したときに本体切断部４３を覆うのに十分な大きさを有する形状であることが必要である。パッチシート４０の形状は、円形、楕円形、正方形又は長方形のものを用いることができ、特に正方形又は長方形のものを用いることが好ましい。正方形又は長方形パッチシート４０の一辺の長さは、支柱２３の断面の形状の最長寸法Ｄｐより１００〜４００ｍｍ長いことが好ましい。
【００３０】
切断部の長さを最小限にとどめる点から、防草シート本体１０の本体切断部４３及びパッチシート４０のパッチ切断部４４の形状は、ともに直線的に切断した形状であることが好ましい。また、草の生育の防止を確実にするという点から、本体切断部４３とパッチ切断部４４との支柱中心位置を中心とした角度（図９に示す角度θ）が、９０〜２７０度であるようにパッチシート４０を防草シート本体１０上に敷設することが好ましい。
【００３１】
パッチシート４０は、少なくとも平面方向に伸び性を有することが好ましい。パッチシート４０が伸び性を有する場合、パッチシート４０のパッチ開口部４２の大きさは、支柱２３の断面の形状より小さいことが好ましい。「伸び性を有する」とは、ある方向に力を加えた場合に、その方向に向かって弾性的な伸びを示すことができる性質をいう。パッチシート４０が伸び性を有すると、パッチ開口部４２に支柱２３を貫通させる際、パッチ開口部４２は広がることができ、支柱貫通前のパッチ開口部４２の形状の最長寸法Ｄｈと、支柱２３の断面の形状の最長寸法Ｄｐとの比Ｄｈ／Ｄｐが、０．９≦Ｄｈ／Ｄｐ≦１である場合に、パッチ開口部４２に支柱２３が貫通した後には、支柱２３とパッチ開口部４２との間の隙間を無くすことができる。そのため、支柱２３とパッチ開口部４２との間にコーキング材を詰めなくても、その隙間からの草の生育を防止することができる。
【００３２】
また、支柱貫通前のパッチ開口部の形状の最長寸法Ｄｈと、支柱の断面の形状の最長寸法Ｄｐとの比Ｄｈ／Ｄｐが、１＜Ｄｈ／Ｄｐ≦１．１である場合には、パッチ開口部４２に支柱２３が貫通した後には、支柱２３とパッチ開口部４２との間の隙間をほとんど無くすことができるが、防草をより確実にするために、支柱２３とパッチ開口部４２との間にシリコン系シール材等のコーキング材を配置することが好ましい。
【００３３】
パッチシート４０のパッチ開口部４２の形状は、本体開口部１１の場合と同様に、支柱２３の断面の形状と相似形状であることが好ましい。より確実に防草を行うという点から、支柱２３が貫通する前のパッチ開口部４２の形状の最長寸法Ｄｈと、支柱２３の断面の形状の最長寸法Ｄｐとの比Ｄｈ／Ｄｐは、好ましくは０．９〜１．１であること、より好ましくは０．９５〜１．０５であること、さらに好ましくは０．９８〜１．０２であること、特に好ましくは０．９９〜１．０１であることが好ましい。
【００３４】
また、さらに確実に防草を行うという点から、パッチシート４０の引張伸び率が、好ましくは２０％以上、さらに好ましくは３０％以上、より好ましくは４０％以上、特に好ましくは５０％以上であることが好ましい。前記の引張伸び率を有するパッチシート４０を用いることによって良好な防草シート施工性と優れた防草特性を得ることができる。なお、「引張伸び率」とは、ＪＩＳ・Ａ６０１３に準拠した測定値である。
【００３５】
＜防草シート本体及びパッチシートの材料＞
本発明の防草構造体に含まれる防草シート本体１０及びパッチシート４０は、特に限定されるものではなく、市販の防草シートから適宜選択して用いることができるが、特に、可撓性、防水性及び遮光性を有し、シート状の形状を有するものは、良好な耐久性を有することから好適に用いることができる。本発明に用いる防草シート１０及びパッチシート４０の具体例として、優れた可撓性、防水性及び遮光性を有する改質アスファルト系防草シート、例えば、特開２００２−２７２３４８号公報（特許文献１）に開示された改質アスファルト系防草シートを好ましく用いることができる。
【００３６】
「改質アスファルト系防草シート」とは、改質アスファルトを材料として含む防草シートのことをいう。改質アスファルトとしては、具体的には後述する耐貫通型防草シートの（ｂ）層及び（ｄ）層に用いることのできる改質アスファルトと同様のものを用いることができる。改質アスファルト系防草シートは、建築用防水シート（改質アスファルト系防水シート）を転用して用いることができる。
【００３７】
改質アスファルト系防草シートとしては、単層の改質アスファルトと基材層とからなるシートのみならず、２層の改質アスファルト層の間に不織布等からなる基材層を含む構造のものを用いることができる。
【００３８】
また、改質アスファルト系防草シートは、さらに表面層及び裏面層を含むことができる。表面層には、後述する耐貫通型防草シートの（ａ）表面層と同様のものを用いることができる。また、裏面層には、合成樹脂フィルムを好適に用いることができる。合成樹脂フィルムとしては、具体的には、ＨＤＰＥフィルム（高密度ポリエチレン）及びＯＰＰフィルム（二軸延伸成形ポリプロピレン）などから選択したものを好適に用いることができる。また、後述する耐貫通型防草シートの（ｅ）裏面層と同様のものを用いることができる。
【００３９】
改質アスファルト系防草シートの構造の一例は、表面層、改質アスファルト層、基材層、改質アスファルト層及び裏面層をこの順番で有する構造であるが、これらの層の全てを含む必要はなく、また、さらなる層を含むこともできる。
【００４０】
本発明の防草構造体に含まれる防草シート本体１０及びパッチシート４０として、改質アスファルト系防草シートの１種である、後述する耐貫通型防草シートを用いることが特に好ましい。
【００４１】
上述した本発明の施工方法によって、優れた防草構造体の施工を容易に行うことができ、得られた防草構造体は、長期に渡って良好な防草効果を発揮して、良好な景観形成に寄与できる。
【００４２】
また、本発明の防草構造体に含まれる防草シート本体１０及びパッチシート４０の少なくとも一方が、後述する耐貫通型防草シートであることが特に好ましい。
【００４３】
＜防草構造体の態様＞
本発明の防草構造体を、道路の法面３０のような舗装面２１に隣接した防草区域に設置する場合、防草シート本体１０の一端（第一端部１２）が道路の舗装面端部２２に固定され、第一端部１２の反対側の他端（第二端部１３）は法面３０に固定される。防草シート本体１０の第一端部１２と、舗装面端部２２とが接触する部分は、粘着材接着法及び／又はテープ接着法により固定される。さらに、防草シート本体１０の第一端部１２の舗装面端部２２への固定を、第一の釘状器具１４を用いて行うことにより、固定を確実にする。また、防草シート本体１０の第二端部１３は、第二の釘状器具１５によって地面に固定される。なお、「第一端部１２」及び「第二端部１３」は、防草シート本体１０の所定の一端付近の領域であり、防草シート本体１０を所定の方法によって固定するために必要な寸法を有する領域である。
【００４４】
防草シート本体１０の端部と舗装面２１等とは、粘着材接着法及び／又はテープ接着法により固定することができる。具体的には、防草シート本体１０の端部と、舗装面２１との間に、改質アスファルトを含む目止め材などの粘着材塗布層及び／又は両面粘着テープなどのテープ接着層４５を挟み、加圧し、粘着して固化することにより、端部を舗装面２１等に固定する。
【００４５】
また、防草シート本体１０の端部と舗装面２１等とは、粘着材接着法及び／又はテープ接着法により固定することができる。具体的には、改質アスファルトを含む目止め材などの粘着材塗布層及び／又は両面に接着性のあるアスファルトテープを防草シート本体１０の端部と舗装面２１等との間に設け、端部と舗装面２１等との固定を行うことができる。
【００４６】
防草シート本体１０の端部と舗装面２１等との固定をより確実にするという点から、粘着材接着法及び／又はテープ接着法を用いる。粘着材接着法及び／又はテープ接着法は、火気の使用が好ましくない場合、あるいは制限されている場合にも用いることができる。
【００４７】
防草シート本体１０の第一端部１２の舗装面端部２２への固定のための第一の釘状器具１４としては、オールアンカー、コンクリート釘、又は測量釘などを用いることができる。オールアンカーとは、アンカー本体、打込みピン、ナット及びワッシャーがセットになったアンカーのことである。オールアンカーの一例として、直径５ｍｍ、長さ３０ｍｍのものを用いることができる。また、オールアンカーによる固定を確実にするために、さらにオールアンカー用ディスク（例えば、厚さ１．２ｍｍ、直径４５ｍｍ）を用いることができる。また、コンクリート釘による固定を効率的にかつ確実にするために、自動釘打機を用いることが好ましい。
【００４８】
防草シート本体１０の第二端部１３を法面３０に固定するための第二の釘状器具１５としては、具体的には、Ｌ字型のピンを用いることができる。Ｌ字型のピンの寸法の一例として、鉄道軌道の法面に防草構造体を施工する場合、直径１６ｍｍ、長辺の長さ５００〜８００ｍｍのものを好適に用いることができ、道路法面に防草構造体を施工する場合、直径９ｍｍ、長辺の長さ１５０〜３００ｍｍのものを好適に用いることができる。
【００４９】
図１４及び図１５に、防草シート１０の第二端部１３を法面３０へ固定するための一態様の、法面３０付近の断面模式図を示す。この態様の場合、図１４に示すように、法面３０に法面掘削部３１を設け、第二の釘状器具１５を用いて防草シート１０を法面掘削部３１に固定する。次に、図１５に示すように、法面掘削部３１を埋め戻すことにより、第二端部１３を法面３０へ埋め込むことで、第二端部１３の固定を確実にする。防草シート１０の第二端部１３は、法面埋設部３２に埋め込まれるため、暴風などによって防草シート１０の第二端部１３が捲れることを防止することができる。
【００５０】
また、図１に示すように、鉄筋１６を配置し、第二の釘状器具１５によって鉄筋１６を固定すると、防草シート本体１０の第二端部１３を埋設することなく、防草シート本体１０の法面３０への固定を確実にすることができる。鉄筋１６は、寒冷地などで融雪剤等が道路管理に用いられる場所では、融雪剤等の薬品に侵されることがないようなものを用いることが好ましい。鉄筋１６は、具体的には、亜鉛メッキやアルミニウムを含む亜鉛合金メッキを施した直径６ｍｍ程度の鋼線であることが好ましい。
【００５１】
また、防草シート１０の第二端部１３を法面３０へ固定するための別の態様として、メッシュ状押さえ具２７を用いることができる。メッシュ状押さえ具２７として、具体的には、金属製メッシュや合成樹脂製メッシュ等のメッシュ状材料を帯状にしたものを用いることができる。メッシュ状押さえ具２７を用いて防草シート１０を法面３０に固定する具体例を、図１２（平面模式図）及び図１３（断面模式図に）に示す。メッシュ状押さえ具２７の幅は、０．３〜２ｍ程度であり、０．５〜１ｍであることが好ましい。図１２及び図１３に示すように、防草シート１０の第二端部１３と法面３０の一部を跨ぐように、メッシュ状押さえ具２７を敷設する。メッシュ状押さえ具２７の防草シート１０上に敷設した部分及び法面３０上に敷設した部分の両方を、上述の第二の釘状器具１５によって法面３０に固定することにより、防草シート１０の法面３０に対する固定を確実にすることができる。このようにメッシュ状押さえ具２７を用いる固定方法の場合、暴風などによって防草シート１０の第二端部１３が捲れることを防止することもできる。
【００５２】
また、防草シート１０の法面３０に対する固定をさらに確実にするために、メッシュ状押さえ具２７の上にさらに上述の鉄筋１６を配置し、第二の釘状器具１５を用いてメッシュ状押さえ具２７及び鉄筋１６を固定することが好ましい。
【００５３】
防草シート本体１０の寸法は、防草区域の寸法やその他の施工条件によって、適宜選択することができる。例えば、図１に示す例においては、複数の防草シート本体１０が、防草シート本体重ね合わせ接着部１７にて接続された構造となっている。このように、適宜選択した寸法の複数の防草シート本体１０の防草シート本体重ね合わせ接着部１７を、粘着材接着法及び／又はテープ接着法により張り合わせて用いることにより、本発明の防草構造体を任意の寸法の防草区域に設置することができる。
【００５４】
防草区域の幅が防草シート本体１０より狭い場合、すなわち防草区域の幅が一般的に１ｍ程度以下の場合には、一枚のテープ状の防草シートを防草シート本体１０として用いて防草構造体を設置することができる。テープ状の防草シート本体１０には、支柱２３の間隔に対応する所定の位置に複数の本体開口部１１を形成する。複数の本体開口部１１を有するテープ状の防草シート本体１０を、支柱２３が本体開口部１１を貫通するように敷設することができる。防草シート本体１０の本体開口部１１の大きさは、支柱２３の断面大きさより大きくすることにより、防草シート本体１０の複数の本体開口部１１と、対応する複数の支柱２３との位置合わせは容易になる。ただし、支柱２３の位置と、本体開口部１１との位置合わせをさらに容易にするためには、各々の防草シート本体１０が一つの本体開口部１１を有するように防草シート本体１０の寸法を選択することが好ましい。各々の支柱２３の周りの防草シート本体１０上には、パッチシート４０が敷設される。
【００５５】
防草区域の横方向端部１８及び１９（図１及び図１２では上下方向で示されている）は、防草シート本体１０を、コンクリート等への粘着材接着法及び／又はテープ接着法による固定（横方向端部１８）、ピンによる固定処理（横方向端部１９）などの終端処理を行うことにより、防草効果を確実にすることができる。
【００５６】
本発明の防草構造体は、道路、線路、河川、公園及び造林園など並びにこれらの周辺の地面、表面及び法面など、防草が必要な場所であれば、どのような場所にも用いることができる。とりわけ、防草区域が舗装面２１に隣接した防草区域に本発明の防草構造体を設置すると、より優れた防草効果を奏することができる。また、本発明の防草構造体は、舗装面２１が、アスファルト舗装道路の舗装面２１であり、防草区域が、アスファルト舗装道路の法面３０である場合に、さらに優れた防草効果を奏することができる。本発明の施工方法では、粘着材接着法及び／又はテープ接着法を防草シート本体１０等の固定に用いることにより、施工場所での火気の使用が好ましくない場合、あるいは制限されている場合にも、防草構造体を施工し、設置することができる
【００５７】
＜防草構造体の施工方法＞
次に、本発明の防草構造体の施工方法について説明する。
【００５８】
本発明の防草構造体は、図２に例示するような、取付物が取り付けられている支柱２３を有する防草区域に施工される。本発明の防草構造体の施工方法は、防草シート本体１０の、支柱位置に対応する防草シート本体１０の位置に本体開口部１１を形成する。また、防草区域に、ガードレール、道路標識や信号等を取り付けた支柱が既に存在している場合には、その本体開口部１１の１点と防草シート本体１０の端部の１点との間に本体切断部４３を形成することが好ましい。本体開口部１１及び本体切断部４３を形成することにより、図３に示すような防草シート本体１０を得ることができる。支柱貫通前の本体開口部１１の形状は、支柱２３の断面の形状と相似形状であり、かつ支柱２３の断面の形状の最長寸法より１〜２０ｍｍ大きいことが好ましい。また、本体切断部４３を、本体開口部１１の１点と防草シート本体１０の端部の１点との距離が、最短距離となるように形成することが好ましい。
【００５９】
また、本発明の防草構造体の施工方法において、図４に例示するようなパッチシート４０を用いる場合には、パッチシート４０に、パッチ開口部４２を形成し、パッチ開口部４２の１点とパッチシート４０の端部の１点との間にパッチ切断部４４を形成する。これにより、図４に示すようなパッチシート４０を得ることができる。パッチシート４０の形状は、正方形又は長方形であり、正方形又は長方形の一辺の長さが、支柱２３の断面の形状の最長寸法Ｄｐより１００〜４００ｍｍ長いことが好ましい。支柱貫通前のパッチ開口部４２の形状は、支柱２３の断面の形状と相似形状であり、かつ支柱２３の断面の形状とほぼ同じであることが好ましい。また、支柱貫通前のパッチ開口部４２の形状の最長寸法Ｄｈと、支柱２３の断面の形状の最長寸法Ｄｐとの比Ｄｈ／Ｄｐが、０．９〜１．１であることが好ましい。また、パッチシート４０が、少なくとも平面方向に伸び性を有し、パッチシート４０の引張伸び率が、２０％以上であることが好ましい。
【００６０】
また、本発明の防草構造体の施工方法では、防草シート本体１０の本体開口部１１に本体切断部４３を通過させることによって支柱２３を防草シート本体１０に貫通させることができる。本発明の防草構造体の施工方法は、防草シート本体１０の端部（第一端部１２）を、舗装面端部２２に重なるように配置する工程を含む。この工程により、図５及び図６に示すような構造を得ることができる。防草シート本体１０の端部（第一端部１２）は、粘着材接着法及び／又はテープ接着法によって舗装面端部２２に固定することができる。図６の例示において、粘着材及び／又はテープは、第一端部１２と舗装面端部２２との間の接着層４５として図示している。さらに、防草シート本体１０の端部（第一端部１２）を、さらに第一の釘状器具１４によって舗装面端部２２に固定することができる。
【００６１】
また、本発明の防草構造体の施工方法は、パッチ開口部４２にパッチ切断部４４を通過させることによって支柱２３をパッチシート４０に貫通させ、本体切断部４３を全て覆いかつ本体切断部４３とパッチ切断部４４が重ならないように、防草シート本体１０上にパッチシート４０を敷設する工程を含む。この工程により、図７及び図８に示すような構造を得ることができる。このとき、本体切断部４３及びパッチ切断部４４の形状が直線状であり、パッチシート４０を敷設する工程において、本体切断部４３とパッチ切断部４４との支柱中心位置を中心とした角度（図９に示す角度θ）が、９０〜２７０度であるようにパッチシート４０を敷設することが好ましい。
【００６２】
防草シート本体１０と、防草シート本体１０上に敷設したパッチシート４０とは粘着材接着法及び／又はテープ接着法により固定する。図８の例示において、粘着材及び／又はテープは、防草シート本体１０とパッチシート４０との間の接着層４５として図示している。固定をより確実にするという点から、防草シート本体１０と、パッチシート４０とは、粘着材接着法及び／又はテープ接着法により固定する。粘着材接着法及び／又はテープ接着法により、住宅地近傍への設置の場合や、設置箇所近傍に下草等の可燃物が多い場合など、火気の使用が好ましくない場合、あるいは制限されている場所においても本発明の防草構造体を施工することができる。
【００６３】
また、本体開口部１１と支柱２３のとの間及び／又はパッチ開口部４２と支柱２３との間に、シリコン系シール材を充填する工程をさらに含むことが好ましい。
【００６４】
防草区域が、道路の法面３０のように、舗装面２１に隣接した防草区域である場合には、防草シート本体１０の第一端部１２を、舗装面端部２２に重なるように配置する工程（Ａ）と、防草シート本体１０の第一端部１２を、粘着材接着法及び／又はテープ接着によって舗装面端部２２に固定する工程（Ｂ）と、防草シート本体の第一端部を、さらに第一の釘状器具１４によって舗装面端部２２に固定する工程（Ｃ）と、防草シート本体の第一端部とは反対側の第二端部１３を、第二の釘状器具１５によって地面に固定する工程（Ｄ）とを含むことができる。
【００６５】
本発明の防草構造体の施工方法は、取付物が、ガードレールのように複数の支柱２３に連続的に取り付けられている場合に、より優れた効果を奏することができる。
【００６６】
防草構造体の施工方法を、舗装面２１がアスファルト舗装道路の舗装面２１であり、防草区域がアスファルト舗装道路の法面３０であるような場所に用いると、本発明のさらに優れた効果を奏する防草構造体を得ることができる。
【００６７】
また、本発明の防草構造体の施工方法は、防草区域が、取付物が取り付けられている支柱２３を有している場合には、上記工程（Ａ）の前に、防草シート本体１０の、支柱２３の位置に対応する防草シート本体１０の位置に本体開口部１１及び本体開口部１１の１点と防草シート本体１０の端部の１点との間に本体切断部４３を形成する工程と、パッチシート４０に、パッチ開口部４２及びパッチ開口部４２の１点とパッチシート４０の端部の１点との間にパッチ切断部４４を形成する工程と、本体切断部４３に支柱２３を通過させることによって、支柱２３を防草シート本体１０の本体開口部１１に貫通させる工程をさらに含むことが好ましい。また、工程（Ａ）の後に、パッチ切断部４４に支柱２３を通過させることによって、支柱２３をパッチシート４０のパッチ開口部４２に貫通させ、本体切断部４３を全て覆いかつ本体切断部４３とパッチ切断部４４とが重ならないように、防草シート本体１０上にパッチシート４０を敷設する工程と、パッチシート４０を、粘着材接着法及び／又はテープ接着によって防草シート本体１０に固定する工程とをさらに含むことが好ましい。
【００６８】
＜耐貫通型防草シート＞
次に、本発明の防草構造体の防草シート本体及び／又はパッチシートに用いることが特に好ましいに防草シートついて説明する。本明細書及び特許請求の範囲では、ここで説明する防草シートのことを「耐貫通型防草シート」という。耐貫通型防草シートは、硬く鋭い雑草の芽に対する貫通防止性に優れるため、本発明の防草構造体に用いることが特に好ましい。本発明の防草構造体の防草シート本体及び／又はパッチシートとして耐貫通型防草シート本体を用いることにより、際立った防草性能と優れた耐久性とを併せ持った防草構造体及びその施工方法を得ることができる。なお、耐貫通型防草シートは、改質アスファルト系防草シートの一種である。
【００６９】
＜耐貫通型防草シートの態様＞
耐貫通型防草シートは、（ａ）無機質粒子又は無機質粒子を含有する合成樹脂を含む表面層、（ｂ）改質アスファルト層、（ｃ）基材層、（ｄ）改質アスファルト層及び（ｅ）合成樹脂又は無機質粒子を含有する合成樹脂を含む裏面層の少なくとも５層をこの順で積層した耐貫通型防草シートであって、（ｃ）基材層が、織布、編み布及び不織布からなる群より選ばれる少なくとも一つである基材Ａと、スクリムを有する基材Ｂとを含み、基材Ａの織布、編み布及び不織布が、芯部と鞘部とを有する芯鞘構造の繊維を含み、芯部が融点２００℃以上の繊維及び鞘部が融点２００℃以上の樹脂であり、（ｅ）裏面層の合成樹脂が硬質合成樹脂である耐貫通型防草シートである。
【００７０】
耐貫通型防草シートの好ましい態様を以下に示す。耐貫通型防草シートでは、これらの態様を適宜組み合わせることができる。
（１）（ｅ）裏面層の硬質合成樹脂が、ポリプロピレン、ポリエステル、ポリカーボネート、ポリアミドイミド、ポリエステルイミド、ポリアミド、ポリイミド、ポリ塩化ビニル及びポリハロゲン化ポリビニルからなる群より選択される少なくとも一つの合成樹脂である。
（２）（ｅ）裏面層が、厚さ１０〜５０μｍの二軸延伸成形ポリプロピレンフィルムである。
（３）（ｃ）基材層が、基材Ａと、基材Ｂと、基材Ａとをこの順に積層し、接着された、若しくは熱融着された三層構造を有する。
（４）芯部と鞘部とが、熱融着されている。
（５）基材Ｂが、複数の互いに平行な略等間隔の高強度繊維の繊維束からなる組を２組以上有し、異なった組の繊維束は、略等角度で互いに交差しあうスクリムである。
（６）基材Ａと、基材Ｂとの接触部の少なくとも一部が、融点２００℃以上の樹脂及び／又は２００℃で熱分解しない接着剤により接着されている、若しくは熱融着されている。
（７）（ｃ）基材層が、７５〜５００ｇ／ｍ２の目付量を有する。
（８）（ａ）表面層が、天然スレート、タルク及びマイカからなる群より選ばれる少なくとも一種以上の、扁平状の無機質粒子を含む。
【００７１】
また、耐貫通型防草シートは、上記の防草シートを敷設した防草構造体に用いることができる。
【００７２】
＜耐貫通型防草シートの効果＞
耐貫通型防草シートにより、道路、線路、河川、公園及び造林園など並びにこれらの周辺などの地面、表面、特に法面での草の成育を防止ための、遮光性を有し、耐候性、機械的特性、不透水性に優れ、さらに硬く鋭い雑草の芽の防草シートに対する貫通防止性に優れる防草シートを得ることができる。
【００７３】
＜耐貫通型防草シートの詳細＞
図１６に、耐貫通型防草シートの模式的断面図を示す。耐貫通型防草シートは、（ａ）無機質粒子又は無機質粒子を含有する合成樹脂を含む表面層１、（ｂ）改質アスファルト層２、（ｃ）基材層３、（ｄ）改質アスファルト層４及び（ｅ）合成樹脂又は無機質粒子を含有する合成樹脂である裏面層５の少なくとも５層を、この順で積層した耐貫通型防草シートである。耐貫通型防草シートは、道路、線路、河川、公園及び造林園など並びにこれらの周辺などの地面、表面、特に法面での草の成育を防止するための、遮光性を有し、耐候性、機械的特性、不透水性に優れ、さらに硬く鋭い雑草の芽の防草シートに対する貫通防止性に優れる。以下、耐貫通型防草シートを詳細に説明する。
【００７４】
＜（ｃ）基材層＞
（ｃ）基材層は、織布、編み布及び不織布からなる群より選ばれる少なくとも一つである基材Ａと、スクリムを有する基材Ｂとを含む。
【００７５】
＜（ｃ）基材層の基材Ａ＞
基材Ａを構成する織布、編み布及び不織布は、芯部と鞘部とを有する芯鞘構造の繊維を含むものである。本明細書で「繊維」とは、単繊維、２本以上の繊維、２本以上の繊維の束（繊維束）、及び２本以上の繊維によりをかけたもの（糸）を包含する。
【００７６】
基材Ａは、織布、編み布及び不織布から選ばれる基材であり、織布、編み布又は不織布を２以上組み合わせて用いることができる。基材Ａとして、芯部が融点２００℃以上の繊維と、鞘部が融点２００℃以上の樹脂からなる芯鞘構造の繊維からなる織布、編み布及び／又は不織布を用いることができる。また、基材Ａとして、その芯鞘構造の繊維からなる織布、編み布及び／又は不織布と、融点２００℃以上の繊維からなる織布、編み布及び／又は不織布を組み合わせて用いることもできる。なお、繊維の融点の上限は特に限定されない。樹脂の融点の上限も特に限定されないが、製造の容易性及びコストの点から、５００℃以下が好ましく、４００℃以下がさらに好ましい。
【００７７】
＜（ｃ）基材層の基材Ａ：芯鞘構造＞
（ｃ）基材層の基材Ａとして用いることのできる芯鞘構造の繊維とは、一つの成分（鞘部）がもう一つの成分（芯部）の少なくとも一部の表面を包む状態の構造を有する繊維を意味する。芯鞘構造の繊維は、鞘部が芯部の表面を、５０％以上、さらに７０％以上、特に９０％以上包む状態の構造であることが好ましい。特に、芯鞘構造の繊維は、鞘部が芯部の表面を完全に包む状態の構造の繊維であることが最も好ましい。
【００７８】
芯部は、融点２００℃以上の繊維である。また、芯部は、低吸水性の合成樹脂や無機物であることが、耐貫通型防草シートを製造する過程での耐熱性や長期供用時の物性の安定性に優れるために好ましい。芯部は、吸水率（２４時間、２３℃）が好ましくは１％以下、さらに好ましくは０．９％以下、特に好ましくは０．８％未満の合成樹脂や無機物が好ましく用いることができる。具体的な芯部の材料としては、低吸水性のナイロン１１やナイロン１２、ポリエステルやガラスなどの合成樹脂や無機物からなる繊維を用いることが、吸水性及び機械的強度などの点から好ましい。
【００７９】
鞘部の材料は、融点２００℃以上の樹脂であることが、耐貫通型防草シートを製造する過程での耐熱性や長期供用時の物性の安定性に優れるために好ましい。融点２００℃以上の樹脂としては、融点２００℃以上の天然や合成の樹脂ならどのようなものでも用いることができ、特に、融点２００℃以上のポリアミド、ポリカーボネート、ポリフェニレンオキシド、ポリエーテルスルホン、ポリアミドイミド、ポリエステルイミド、ポリイミド、ポリスルホン及びポリエーテルなどから選択した１種以上の樹脂を用いることができる。特に、低吸水性のナイロン１１及びナイロン１２から選択した１種以上が長期供用時の物性に優れることから好適に使用できる。また、融点２００℃以上の樹脂としては、部分架橋あるいは架橋したゴムを用いることもできる。
【００８０】
また、芯部と鞘部とは、熱融着されていることが好ましい。熱融着は、芯部の材料と鞘部の材料のうち少なくともどちらか一つの融点より高い温度を加えることによって行うことができる。芯部と鞘部とは、熱融着されていることにより、耐貫通型防草シートの製造過程で溶融状態（２００℃未満）の改質アスファルト中に浸漬されても優れた形状安定性を得ることができる。
【００８１】
基材Ａに、融点２００℃以上の芯鞘構造の繊維からなる織布、編み布及び不織布を用いる場合には、芯鞘構造の繊維の、（ｉ）一部が融点２００℃以上の樹脂により接着されている織布、編み布、不織布など、（ｉｉ）一部が２００℃で熱分解しない接着剤及び／又は樹脂により接着されている織布、編み布、不織布など、（ｉｉｉ）一部が熱融着されている織布、編み布、不織布などを用いることが好ましい。なお、樹脂の融点及び接着剤の熱分解温度の上限は特に限定されないが、製造の容易性及びコストの点から、５００℃以下が好ましく、４００℃以下がさらに好ましい。
【００８２】
基材Ａとして、（ｉ）一部が融点２００℃以上の樹脂により接着されている織布、編み布、不織布を用いる場合には、融点２００℃以上の樹脂としては、融点２００℃以上の天然や合成の樹脂であればどのようなものでも用いることができ、特に、融点２００℃以上のポリアミド、ポリカーボネート、ポリフェニレンオキシド、ポリエーテルスルホン、ポリアミドイミド、ポリエステルイミド、ポリイミド、ポリスルホン及びポリエーテルなどから選択した１種以上の樹脂を用いることができる。特に、低吸水性のナイロン１１及びナイロン１２から選択した１種以上を好適に使用できる。融点２００℃以上の樹脂としては、部分架橋あるいは架橋したゴムを用いることもできる。
【００８３】
基材Ａとして、（ｉｉ）一部が２００℃で熱分解しない接着剤及び／又は樹脂により接着されている織布、編み布、不織布を用いることができる。２００℃で熱分解しない接着剤とは、熱重量分析において、空気中、５℃／分の昇温速度の条件下で、２００℃で重量減少率が１％以下、さらに０．５％以下、特に０％の天然や合成の樹脂である。
【００８４】
２００℃で熱分解しない接着剤としては、２００℃で熱分解しない無機系接着剤や有機系接着剤などを用いることができる。２００℃で熱分解しない接着剤としては、例えば、ウレタン系接着剤、アクリル系接着剤、ポリアミド系接着剤、エポキシ系接着剤、ポリエステル系接着剤、ナイロン／エポキシ系接着剤、エラストマー／エポキシ系接着剤、ニトリル／フェノリック系接着剤、ウレタン／エポキシ系接着剤、ポリエステル／エポキシ系接着剤、ポリイソシアネート系接着剤、ポリエチレンイミン系接着剤、メラミン系接着剤、尿素系接着剤、フェノール系接着剤、ポリクロロプレン系接着剤、ニトリルゴム系接着剤、再生ゴム系接着剤、ＳＢＲ系接着剤及び天然ゴム系接着剤などから選択した１種以上を用いることができる。
【００８５】
２００℃で熱分解しない接着剤として、エポキシ樹脂、後述する（ａ）表面層に用いることができる合成樹脂塗料などの架橋性を有する天然や合成の樹脂を用いることが好ましい。
【００８６】
＜（ｃ）基材層の基材Ａ：芯鞘構造の繊維及び融点２００℃以上の繊維を併用＞
また、基材Ａとして、融点２００℃以上の繊維からなる織布、編み布及び／又は不織布を用いることもできる。この融点２００℃以上の繊維からなる織布、編み布及び／又は不織布は、芯部が融点２００℃以上の繊維と、鞘部が融点２００℃以上の樹脂とからなる芯鞘構造の繊維からなる織布、編み布及び／又は不織布と組み合わせて用いることが、基材Ａとして好ましい。融点２００℃以上の繊維としては、融点２００℃以上の天然、半合成及び合成樹脂の繊維や無機のガラスなどの融点２００℃以上の有機質繊維や無機質繊維などにより構成されるものを用いることができる。
【００８７】
融点２００℃以上の繊維としては、融点２００℃以上の樹脂からなる、又は、融点２００℃以上の樹脂を含む、繊維、ガラスなどの融点２００℃以上の有機質繊維や無機質繊維などを用いることができる。なお、繊維の融点の上限は特に限定されない。
【００８８】
基材Ａとして、融点２００℃以上の芯鞘構造の繊維と、融点２００℃以上の繊維とからなる織布、編み布及び不織布を用いる場合には、芯鞘構造の繊維及び／又は融点２００℃以上の繊維の、（ｉ）一部が融点２００℃以上の樹脂により接着されている織布、編み布、不織布など、（ｉｉ）一部が２００℃で熱分解しない接着剤及び／又は樹脂により接着されている織布、編み布、不織布など、（ｉｉｉ）一部が熱融着されている織布、編み布、不織布などを用いることが好ましい。なお、樹脂の融点及び接着剤の熱分解温度の上限は特に限定されないが、製造の容易性及びコストの点から、５００℃以下が好ましく、４００℃以下がさらに好ましい。
【００８９】
基材Ａとして、（ｉ）一部が融点２００℃以上の樹脂により接着されている織布、編み布、不織布を用いる場合には、融点２００℃以上の樹脂としては、融点２００℃以上の天然や合成の樹脂であればどのようなものでも用いることができ、特に、融点２００℃以上のポリアミド、ポリカーボネート、ポリフェニレンオキシド、ポリエーテルスルホン、ポリアミドイミド、ポリエステルイミド、ポリイミド、ポリスルホン及びポリエーテルなどから選択した１種以上の樹脂を用いることができる。特に、低吸水性のナイロン１１及びナイロン１２から選択した１種以上を好適に使用できる。融点２００℃以上の樹脂としては、部分架橋あるいは架橋したゴムを用いることもできる。
【００９０】
基材Ａとして、（ｉｉ）一部が２００℃で熱分解しない接着剤及び／又は樹脂により接着されている織布、編み布、不織布を用いることができる。２００℃で熱分解しない接着剤とは、熱重量分析において、空気中、５℃／分の昇温速度の条件下で、２００℃で重量減少率が１％以下、さらに０．５％以下、特に０％の天然や合成の樹脂である。
【００９１】
２００℃で熱分解しない接着剤としては、２００℃で熱分解しない無機系接着剤や有機系接着剤などを用いることができる。２００℃で熱分解しない接着剤としては、例えば、ウレタン系接着剤、アクリル系接着剤、ポリアミド系接着剤、エポキシ系接着剤、ポリエステル系接着剤、ナイロン／エポキシ系接着剤、エラストマー／エポキシ系接着剤、ニトリル／フェノリック系接着剤、ウレタン／エポキシ系接着剤、ポリエステル／エポキシ系接着剤、ポリイソシアネート系接着剤、ポリエチレンイミン系接着剤、メラミン系接着剤、尿素系接着剤、フェノール系接着剤、ポリクロロプレン系接着剤、ニトリルゴム系接着剤、再生ゴム系接着剤、ＳＢＲ系接着剤及び天然ゴム系接着剤などから選択した１種以上を用いることができる。
【００９２】
２００℃で熱分解しない接着剤として、エポキシ樹脂、後述する（ａ）表面層に用いることができる合成樹脂塗料などの架橋性を有する天然や合成の樹脂を用いることが好ましい。
【００９３】
＜（ｃ）基材層の基材Ｂ＞
防草シートの機械的強度を増加させるという点から、耐貫通型防草シートにおいて、（ｃ）基材層の基材Ｂは、融点２００℃以上の繊維からなるスクリムを有していることが好ましい。スクリムとは、あらい平織り又は綾織りの織布のことを意味する。すなわち、スクリムとは、複数の互いに平行な略等間隔の繊維及び／又は糸を有する組を２組以上有し、異なった組の繊維及び／又は糸は、略等角度で互いに交差しあう形状である。一例として、２組の複数の互いに平行な略等間隔の繊維及び／又は糸が、互いにほぼ直角に交差しあう形状のスクリムを用いることができる。また、３組が互いに約６０度の角度で交差しあうスクリムを用いることもできる。繊維及び／又は糸の間隔の下限は、スクリムの重量及びコストを抑制するという点から、好ましくは３ｍｍ以上、さらに好ましくは４ｍｍ以上、より好ましくは５ｍｍ以上、特に好ましくは６ｍｍ以上のスクリムが好ましい。また、繊維及び／又は糸の間隔の上限は、必要な機械的強度の点から、好ましくは３０ｍｍ以下、さらに好ましくは２０ｍｍ以下、より好ましくは１８ｍｍ以下のスクリムが好ましい。
【００９４】
また、スクリムを構成する繊維及び／又は糸は、融点２００℃以上であることが好ましい。また、高強度を有するため、スクリムを構成する繊維は、２本以上の高強度繊維の束（高強度繊維束）であることが好ましい。高強度繊維束の高強度繊維は、カーボン繊維、アラミド繊維、スチール繊維、ナイロン繊維、ポリエステル繊維及びガラス繊維から選ばれる１種以上のものを好適に使用でき、価格と入手容易性の点からガラス繊維を好適に使用することができる。なお、繊維の融点の上限は特に限定されない。
【００９５】
＜（ｃ）基材層の構造＞
（ｃ）基材層は、基材Ａと、基材Ｂと、基材Ａとをこの順に積層した三層構造を有することが好ましい。「三層構造」とは、基材Ａと、基材Ｂと、基材Ａとをこの順に並べて接着した構造のことをいう。なお、基材Ｂはスクリムを有するため、繊維及び／又は糸が存在しない部分があるが、本明細書では、そのような部分も含めて「三層構造」という。（ｃ）基材層が、三層構造を有することによって、中間に位置する基材Ｂの上面側と下面側とが均質構造となり、この（ｃ）基材層を用いた耐貫通型防草シートを敷設した場合に良好な平面性が得られ、防草シート端部の反り返りを回避することができる。
【００９６】
（ｃ）基材層は、基材Ａと基材Ｂとの接着、及び基材Ｂが存在しない部分では二つの基材Ａの接着を行うことにより形成される。基材の接着を確実にするという点から、（ｃ）基材層は、基材Ａと、基材Ｂとの接触部の少なくとも一部が、融点２００℃以上の樹脂及び／又は２００℃で熱分解しない接着剤により接着されていることが好ましい。又は、基材Ａと、基材Ｂとの接触部の少なくとも一部が、２００℃以上の温度で熱融着されていることが好ましい。二つの基材Ａを接着又は融着する部分についても同様である。基材Ａと基材Ｂとが、融点２００℃以上の樹脂及び／又は２００℃で熱分解しない接着剤により接着されている、又は、２００℃以上の温度で熱融着されていることにより、（ｃ）基材層を用いた耐貫通型防草シートの製造過程で、（ｃ）基材層が溶融状態（２００℃未満）の改質アスファルト中に浸漬されても（ｃ）基材層の物性は損なわれることはなく、また優れた形状安定性を得ることができる。
【００９７】
（ｃ）基材層の目付量（単位面積当たりの重量）の下限は、耐貫通型防草シートの強度を保つという点から、７５ｇ／ｍ２、好ましくは１００ｇ／ｍ２、さらに好ましくは１２０ｇ／ｍ２、特に好ましくは１４０ｇ／ｍ２である。また、（ｃ）基材層の目付量の上限は、耐貫通型防草シートを施工する際の良好な作業性を確保するとともに、コストを抑えるという点から、５００ｇ／ｍ２以下、好ましくは４００ｇ／ｍ２、さらに好ましくは２００ｇ／ｍ２である。スクリムを含む基材層の目付量の具体例としては、１５５ｇ／ｍ２のものを用いることができる。（ｃ）基材層の目付量が下限値（７５ｇ／ｍ２）以上であると、好ましい引張強度や引き裂き強度を得ることができ、また上限値（５００ｇ／ｍ２）以下であると耐貫通型防草シートの強度特性が適正であるとともにシート重量が大きすぎず、敷設作業性が低下することがないことから好ましい。
【００９８】
＜（ａ）表面層＞
（ａ）表面層は、無機質粒子又は無機質粒子を含有する合成樹脂を含む層である。（ａ）表面層は、無機質粒子又は無機質粒子を含有する合成樹脂からなる層であることが好ましい。（ａ）表面層に用いられる無機質粒子としては、天然スレート砂、マイカ及びタルクなどの鉱物質の扁平状無機質粒子を用いることができる。無機質粒子は、一種類又は複数種を組み合わせて用いることができる。耐貫通型防草シートでは、（ａ）表面層に扁平状の無機質粒子を用いることによって、耐候性塗料の塗着に頼ることなく長期供用においても耐貫通型防草シート全面が剥離することなく、変色や退色も小さく、耐貫通型防草シートの施工直後の状態を維持することができる。
【００９９】
さらに、耐貫通型防草シートは、扁平状の無機質粒子と改質アスファルトコンパウンドとが積層された構造を有していることから、一般的な防草シートと比較し、ポイ捨てされたタバコによる穴あき等の重大な損傷が生じにくいという効果を奏する。
【０１００】
無機質粒子の粒子径は、使用上問題ないものであればどのようなものでもよく、好ましくは０．１〜１０ｍｍ、より好ましくは０．３〜８ｍｍ、さらに好ましくは０．５〜６ｍｍ、特に好ましくは１〜５ｍｍの範囲が好ましい。なお、「粒子径」とは、無機質粒子が扁平状等の場合には、無機質粒子の任意の二点を結ぶ直線のうち、最も長いものの長さのことをいうものとする。
【０１０１】
無機質粒子が扁平状等の場合に、無機質粒子の任意の二点を結ぶ直線のうち最も長いものの長さをＸ、この直線に直交する無機質粒子の任意の二点を結ぶ直線のうち最も長いものの長さをＹ、扁平状の無機質粒子の最も厚い部分の厚さをＺとすると、Ｙ／Ｘの値が好ましくは０．２〜１の範囲であり、より好ましくは０．３〜０．９の範囲であり、さらに好ましくは０．５〜０．８の範囲のものを好適に使用できる。また、Ｚ／Ｘの値は好ましくは０．００２〜０．４の範囲であり、より好ましくは０．０１〜０．２の範囲であり、さらに好ましくは０．０２〜０．１の範囲のものを好適に使用できる。
【０１０２】
（ａ）表面層において、耐貫通型防草シート表面１ｍ２当たりの無機質粒子量は、好ましくは１００〜２０００ｇ／ｍ２、より好ましくは２００〜１５００ｇ／ｍ２、さらに好ましくは４００〜１２００ｇ／ｍ２の範囲が好ましい。
【０１０３】
無機質粒子は、必要に応じて撥水剤、塗料、顔料、増粘剤、耐光剤及び耐候剤などから選択される１種以上を添加、吹付け、塗布又は含浸したものを用いることができる。
【０１０４】
（ａ）表面層において、無機質粒子を含有する合成樹脂は、（ｂ）改質アスファルト層に例えば貼り合わせ、塗布、吹付け及び含浸などの方法により、塗膜、シート又はフィルムとして用いることができる。無機質粒子を含有する合成樹脂は、無機質粒子及び合成樹脂塗料を含むものを用いることができる。無機質粒子を含有する合成樹脂は、合成樹脂塗料１００重量部に対し、無機質粒子３〜２５０重量部、さらに５〜２００重量部、特に１０〜１８０重量部を配合したものを用いることが好ましい。無機質粒子を含有する合成樹脂は、必要に応じて撥水剤、顔料、増粘剤、耐光剤及び耐候剤などから選択される１種以上を添加することが好ましい。
【０１０５】
（ａ）表面層において、合成樹脂に含まれる無機質粒子の量は、耐貫通型防草シート表面１ｍ２当たりの無機質粒子量が、好ましくは１００〜２０００ｇ／ｍ２、より好ましくは２００〜１５００ｇ／ｍ２、さらに好ましくは４００〜１２００ｇ／ｍ２の範囲となることが好ましい。
【０１０６】
（ａ）表面層の合成樹脂としては、ポリエチレン、ポリプロピレン、エチレン−酢酸ビニル共重合体、エチレン−アクリル酸誘導体などのポリオレフィン、ポリウレタン、ポリエステル、ポリカーボネート、ポリフェニレンオキシド、ポリスルホン、ポリエーテルスルホン、ポリアミドイミド、ポリエステルイミド、ポリアミド、アクリル樹脂、ポリブタジエン、スチレン−ブタジエン共重合体などの主鎖に２重結合を２以上有するオレフィン重合体、ビニル重合体及び主鎖に２重結合を２以上有するオレフィンと主鎖に２重結合を１つ有するオレフィンとの共重合体などから選択される１種以上を用いることができる。合成樹脂としては耐候性の優れたものを使用することが好ましい。合成樹脂としては耐光性の優れたものを使用することが好ましい。合成樹脂としては柔軟性の優れたものを使用することが好ましい。
【０１０７】
（ａ）表面層において、合成樹脂塗料としては、ポリウレタン、アクリル樹脂、エチレン−酢酸ビニル共重合体、ポリエステル、ポリアミド、ポリイミド、ポリブタジエン及びスチレン−ブタジエン共重合体などから選択される１種以上を用いることができる。合成樹脂塗料としては耐候性の優れたものを使用することが好ましい。合成樹脂塗料としては柔軟性の優れたものを使用することが好ましい。特に、合成樹脂塗料としては、アクリル酸メチル、アクリル酸エチル、アクリル酸ブチル、メタクリル酸メチル、メタクリル酸エチル、メタクリル酸ブチルなどのアクリル酸エステル及びメタクリル酸エステルから選択されるモノマーの少なくとも１種の重合体、又はモノマーの少なくとも１種とエチレンなどのα−オレフィンやスチレンなどのほかのビニル系モノマーとの共重合体が好ましい。
【０１０８】
＜（ｂ）層及び（ｄ）層の改質アスファルト＞
（ｂ）層及び（ｄ）層の改質アスファルトとしては、アスファルト及びポリマーを含むもの、アスファルト、ポリマー及び無機充填材の３成分を含むものなどを用いることができる。（ｂ）層及び（ｄ）層の改質アスファルトとしては、アスファルト１００重量部に対し、ポリマー１０〜４０重量部、及び無機充填材０〜２０重量部を含むものを用いることが好ましい。
【０１０９】
改質アスファルトは、アスファルト及びポリマーを含むもの、アスファルト、ポリマー及び無機充填材の３成分を含むものなどを１２０〜２００℃で３〜３０時間加熱混合して調製したものを用いることが、防水・防湿性、伸縮性などに優れているために好ましい。
【０１１０】
改質アスファルトには、以上述べた成分のほかに、プロセスオイル、ワセリン、セレシン、石油樹脂など、一般に合成樹脂やゴムの配合で用いられる撥水剤、顔料、増粘剤、耐光剤、耐候剤などの無機や有機の配合剤を添加してもよい。
【０１１１】
（ｂ）層及び（ｄ）層の改質アスファルトにおいて、アスファルトとしては、天然アスファルトやアスファルタイトなど天然に産するもの、ストレートアスファルト、ブローンアスファルト、カットバックアスファルト等の石油アスファルト、又はこれらのアスファルトの混合物等が好ましい。
【０１１２】
（ｂ）層及び（ｄ）層の改質アスファルトにおいて、ポリマーとしては、天然ゴム、合成ゴム、天然ゴムと合成ゴムとの混合物、ポリエチレン、エチレン酢酸−ビニル共重合体、エチレンとアクリル酸誘導体との共重合体、ポリプロピレン、ポリブテン−１、ポリ４−メチルペンテン−１、ポリスチレン、アクリロニトリル・スチレン共重合体、ＡＢＳ樹脂、ポリ塩化ビニル、ポリアクリロニトリル及びスチレンとブタジエンとの重合体（例えば、ＳＢＳなど、ＳＢＲなど）等から選択される１種以上を使用することができる。特にＳＢＳなどのゴム系が好適である。
【０１１３】
（ｂ）層及び（ｄ）層の改質アスファルトにおいて、無機充填材としては、炭酸カルシウム、ケイ酸マグネシウム、ケイ酸カルシウム、ケイ酸アルミニウム、無水ケイ酸、クレー、カーボンブラック、タルク、マイカ、硫酸バリウム、珪藻土及びシリカ等の粒子状無機充填材並びに石綿及びガラス繊維などの繊維状無機充填材から選択される１種以上を用いることができる。
【０１１４】
（ｂ）層及び（ｄ）層の改質アスファルトは、針入度が、好ましくは１０ｄｍｍ〜２００ｄｍｍの範囲、さらに好ましくは１５ｄｍｍ〜１００ｄｍｍの範囲、より好ましくは２０ｄｍｍ〜５０ｄｍｍの範囲、特に好ましくは２５ｄｍｍ〜３５ｄｍｍの範囲が柔軟性に優れるために好ましい。
【０１１５】
耐貫通型防草シートでは、（ｂ）層及び（ｄ）層として、上記組成の改質アスファルトを用いることにより、特に法面に配置した場合には、法面上部に不透水性に優れた層を形成することができる。そのため、雑草の生育に不可欠な水分を遮断できるのみならず、法面が盛土で構築されている場合には、法面上部（法肩）からの雨水の浸透に伴う法面自体の帯水を効果的に防止することにより、集中豪雨などに伴う法面地盤の崩壊を回避することができる。
【０１１６】
＜（ｅ）裏面層＞
耐貫通型防草シートは、（ｅ）裏面層が、合成樹脂又は無機質粒子を含有する合成樹脂を含む。（ｅ）裏面層は、合成樹脂フィルム又は無機質粒子を含有する合成樹脂フィルムであることが好ましい。
【０１１７】
（ｅ）裏面層の合成樹脂は、硬質合成樹脂である。裏面層に、硬質合成樹脂を材料としたフィルムを用いることによって、チガヤなどの雑草の芽が、耐貫通型防草シートの（ｅ）裏面層を貫くことが防止できる。また、合成樹脂フィルムの表面滑性を活かして、雑草の芽の成長方向をシート裏面と平行な方向に誘導することが可能となる。
【０１１８】
（ｅ）裏面層の合成樹脂フィルムの合成樹脂としては、耐光性及び耐候性に優れたものを使用することが好ましい。
【０１１９】
（ｅ）裏面層の合成樹脂としては、具体的には、ポリプロピレン、ポリエステル、ポリカーボネート、ポリアミドイミド、ポリエステルイミド、ポリアミド、ポリイミド、ポリ塩化ビニル、ポリ塩化ビニリデンなどのポリハロゲン化ポリビニルなどの硬質合成樹脂をフィルム状にしたものを好ましく用いることができる。特に、二軸延伸成形工程を経て製造されるＯＰＰフィルム（二軸延伸成形ポリプロピレンフィルム）を好適に使用することができる。
【０１２０】
耐貫通型防草シートに用いる（ｅ）裏面層としては、厚さが、好ましくは１０〜５０μｍであり、より好ましくは１２〜４０μｍであり、さらに好ましくは１５〜３０μｍの硬質合成樹脂フィルムを好適に使用できる。（ｅ）裏面層である硬質合成樹脂フィルムが前記範囲（１０〜５０μｍ）の上限以下の場合、耐貫通型防草シートの柔軟性が損なわれることなく、チガヤの芽が耐貫通型防草シートを貫通するのを防止する効果は高くなる。そのため、耐貫通型防草シートを製造したのちロール状に梱包するとシート表面にシワが発生するなどの問題が生じる可能性が小さく、また施工作業においても敷設時の作業性が損なわれる可能性が小さいため好ましい。また、（ｅ）裏面層の合成樹脂フィルムが前記範囲（１０〜５０μｍ）の下限以上の場合には、硬く鋭いチガヤの芽が耐貫通型防草シートを貫通するのを防止する効果が大きくなるため好ましい。
【０１２１】
（ｅ）裏面層の合成樹脂には、ゴムを添加することができる。合成樹脂に添加できるゴムとしては、明確な降伏点を有しない熱可塑性の低結晶性エラストマー又は明確な融点及び降伏点を有しない熱可塑性の非晶性エラストマーが好ましく、常温でゴム弾性を有するエラストマーを用いることができる。スチレン系エラストマー、オレフィン系エラストマー、ポリエステル系エラストマー及びポリアミド系エラストマー等から選択される１種以上の熱可塑性エラストマーを用いることができる。
【０１２２】
スチレン系エラストマーとしては、スチレン−ブタジエン−スチレン共重合体（ＳＢＳなど）、水添スチレン−ブタジエン−スチレン共重合体（ＳＥＢＳなど）、水添スチレン−ブタジエン共重合体（ＨＳＢＲなど）、水添スチレン−ブタジエン−オレフィン結晶ブロック共重合体（ＳＥＢＣなど）等などのブタジエン−スチレン共重合体（ランダム共重合体、ブロック共重合体、グラフト共重合体等の全てを含む）及びその水添物、水添スチレン−イソプレン共重合体（ＳＥＰなど）、水添スチレン−ビニルイソプレン共重合体（Ｖ−ＳＥＰＳなど）、スチレン−イソプレン−スチレン共重合体（ＳＩＳなど）、水添スチレン−イソプレン−スチレン共重合体（ＳＥＰＳなど）などのイソプレン−スチレン共重合体（ランダム共重合体、ブロック共重合体、グラフト共重合体等の全てを含む）及びその水添物などから選択される１種以上を用いることができる。
【０１２３】
ポリオレフィン系エラストマーとしては、非晶性ポリプロピレンなどの非晶性又は低結晶性α−オレフィン（共）重合体、ポリオレフィンとオレフィン系ゴムとの混合物等を用いることができる。ポリオレフィン系エラストマーとしては、エチレン−プロピレン系エラストマー（ＥＰＲなど）、エチレン・ブテン−１系エラストマー（ＥＢＭなど）を用いることができる。ポリエステル系エラストマーとしては、ポリエステル−ポリエーテル共重合体、ポリエステル−ポリエステル共重合体等からなるエラストマーを用いることができる。ポリアミド系エラストマーとしては、ポリアミド−ポリエステル共重合体、ポリアミド−ポリエーテル共重合体等からなるエラストマー等を用いることができる。上記のエラストマーを二種以上、混合して用いてもよい。
【０１２４】
（ｅ）裏面層の合成樹脂に添加できるゴムとしては、具体的には、ポリブタジエン、スチレン−ブタジエン共重合体、ポリイソブチレン、クロロプレンゴム及びニトリルゴムなどから選択される１種以上を用いることができる。
【０１２５】
（ｅ）裏面層が、無機質粒子を含有する合成樹脂を含む場合には、無機質粒子として、炭酸カルシウム、ケイ酸マグネシウム、ケイ酸カルシウム、ケイ酸アルミニウム、無水ケイ酸、クレー、カーボンブラック、タルク、マイカ、硫酸バリウム、珪藻土及びシリカ等から選択される１種以上を用いることができる。
【０１２６】
＜耐貫通型防草シートの製造方法＞
次に、耐貫通型防草シートの製造方法について説明する。
【０１２７】
所定の芯部の表面に、所定の鞘部を熱融着し、芯鞘構造の繊維を作製する。この芯鞘構造の繊維を用いて織布、編み布及び／又は不織布を作製することにより、基材Ａを得る。次に、所定のスクリムを有する基材Ｂを、２つの基材Ａの間に挟む。基材Ａと、基材Ｂと、基材Ａとをこの順に積層したものを、融点２００℃以上の樹脂及び／又は２００℃で熱分解しない接着剤により接着する、若しくは熱融着することにより、シート状の（ｃ）基材層を得ることができる。
【０１２８】
次に、上記のように製造した（ｃ）基材層を、１７０℃以上で２００℃未満に加熱溶融混合した所定の改質アスファルト中に浸漬して通過させ、（ｃ）基材層の両面に所定の（ｂ）層及び（ｄ）層の改質アスファルト層を設けた３層シートを作製する。この３層シートの一方の面（表面）に、所定の無機質粒子又は所定の無機質粒子を含有する合成樹脂を付着することにより（ａ）表面層を形成する。また、もう一方の面（裏面）には、所定の合成樹脂又は無機質粒子を含有する合成樹脂を含むシートを貼り合わせて（ｅ）裏面層を形成することにより、耐貫通型防草シートを得ることができる。
【０１２９】
＜耐貫通型防草シートの特性＞
本発明に用いる耐貫通型防草シート及びその他の防草シートは、下記の特性を有することが好ましい。
【０１３０】
本発明に用いる防草シートの光線透過率は、好ましくは１０％以下、より好ましくは５％以下、さらに好ましくは０％であることが好ましい。光線透過率が上記範囲内では、雑草の生育を有効に防止することができるため好ましい。
【０１３１】
本発明に用いる防草シートの貫通抵抗力は、好ましくは１００Ｎ以上、より好ましくは１５０Ｎ以上、さらに好ましくは２００Ｎ以上、特に好ましくは２５０Ｎ以上が好ましい。貫通抵抗力が上記範囲では、雑草の生育を有効に防止・抑制することができるため好ましい。「貫通抵抗」とは、ＡＳＴＭ・Ｄ４８３３に準拠した測定値である。
【０１３２】
本発明に用いる防草シートの引張強度は、好ましくは５０Ｎ／ｃｍ以上、より好ましくは８０Ｎ／ｃｍ以上、さらに好ましくは１２０Ｎ／ｃｍ以上、特に好ましくは１３５Ｎ／ｃｍ以上であることが好ましい。「引張強度」とは、ＪＩＳ・Ａ６０１３に準拠した測定値である。防草シートが上記範囲の引張強度を有することにより、防草シートの製造過程では良好な連続生産性が得られ、防草シートの施工過程では優れた取扱性が得られ、施工後の供用においては優れた耐久性を得ることができる。
【０１３３】
本発明に用いる防草シートの引張伸び率は、好ましくは１５％以上、より好ましくは３０％以上、さらに好ましくは４０％以上が好ましい。「引張伸び率」とは、ＪＩＳ・Ａ６０１３に準拠した測定値である。上記範囲では、適度の柔軟性により下地の不陸になじむため、施工時の取扱性に優れ、耐久性に優れる。また、防草シートを製造する過程での連続生産性に優れるために好ましい。
【０１３４】
本発明に用いる防草シートの引裂強度は、好ましくは５０Ｎ以上、より好ましくは７０Ｎ以上、さらに好ましくは９０Ｎ／ｃｍ以上、特に好ましくは１１０Ｎ／ｃｍ以上であることが好ましい。「引裂強度」とは、ＪＩＳ・Ａ６０１３に準拠した測定値である。防草シートが上記範囲の引裂強度を有することにより、防草シートの製造過程では良好な連続生産性が得られ、防草シートの施工過程では優れた取扱性が得られ、施工後の供用においては優れた耐久性を得ることができる。また、防草シートの引裂強度が前記範囲であれば、防草シートの端部を、固定ピンを用いて固定した場合にも、固定箇所（応力が集中する箇所）の耐久性を充分に確保することができる。
【０１３５】
本発明に用いる防草シートは、（ａ）表面層から（ｅ）裏面層までの５層全体の厚みが、好ましくは１ｍｍ〜１０ｍｍの範囲、より好ましくは１．５ｍｍ〜８ｍｍの範囲、さらに好ましくは２ｍｍ〜６ｍｍの範囲、特に好ましくは３ｍｍ〜５ｍｍの範囲であることが、施工時の取り扱い易さや、隣り合う防草シートの熱融着部分の品質を充分に安定して確保できることから好ましい。
【０１３６】
本発明に用いる防草シートは、引張強度の縦方向と横方向との比が、好ましくは０．６０〜１．６０の範囲、より好ましくは０．７２〜１．４０の範囲、さらに好ましくは０．７４〜１．３５の範囲、特に好ましくは０．７５〜１．３０の範囲であることが、引張強度や引裂強度などの物性がシートの方向性に依存せず、安定した耐久性が得られることから好ましい。
【０１３７】
本発明に用いる防草シートは、引裂強度の縦方向と横方向との比が、好ましくは０．５０〜２．００の範囲、より好ましくは０．８０〜１．２０の範囲、さらに好ましくは０．８３〜１．１８の範囲、特に好ましくは０．８６〜１．１６の範囲であることが、引張強度や引裂強度などの物性がシートの方向性に依存せず、安定した耐久性が得られることから好ましい。
【０１３８】
機械的強度の一例として、（ｅ）裏面層として厚さ２０μｍの二軸延伸成形ポリプロピレンフィルム及び目付量１５５ｇ／ｍ２の基材層を用い、全体の厚さを３ｍｍとした耐貫通型防草シートの場合には、引張強度１１０〜１９０Ｎ／ｃｍ程度、引張伸び率５０〜７０％程度、引裂強度８５〜１４０Ｎ／ｃｍ程度の値を得ることできる。
【０１３９】
以上述べたように、耐貫通型防草シートでは、織布、編み布及び不織布から選ばれる少なくとも一つである基材Ａと、スクリムを有する基材Ｂとを含む基材層を用い、さらに裏面層に特定の樹脂フィルムを選択して用いるため、引裂強度及び引張強度に優れ、寸法安定性が優れる耐貫通型防草シートを得ることができる。また、耐貫通型防草シートを用いれば、道路、線路、河川、公園及び造林園など並びにこれらの周辺などの地面、表面、特に法面での草の成育を防止する遮光性と、非透水性とを有するとともに、集中豪雨などによる法面の帯水を防止でき、特に、硬く鋭い雑草の芽の防草シートに対する貫通防止性に優れる防草構造体を得ることができる。
＜参考実施例＞
【０１４０】
以下に参考実施例として実験例を挙げて耐貫通型防草シートを説明するが、本発明に用いる耐貫通型防草シートはこれにより何ら限定されるものではない。
【０１４１】
＜評価方法＞
１．引張強度、引張伸び率、引裂強度：ＪＩＳ・Ａ６０１３に準拠して、万能材料試験機［オリエンテック（株）製ＵＴＭ−１０Ｔ］を用い、引張速度１００ｍｍ／分、サンプル幅５０ｍｍ、チャック間１００ｍｍ、試験温度２２℃の条件下で一軸引張強度を測定した。
【０１４２】
２．貫通抵抗：ＡＳＴＭ・Ｄ４８３３に準拠して行った。具体的には、防草シートの貫通抵抗力は、図１９（Ａ）及び図１９（Ｂ）に示されているように、下端に先端部７を有する測定用治具６を用い、図１９（Ｃ）のように展張、固定された試験用防草シート８を測定用治具６が貫通する際の抵抗力を、貫通速度３００ｍｍ／分、試験温度２２℃の条件下で測定した。
【０１４３】
＜実験１〜３＞
雑草を刈り取った地面の表面に、下記の合成樹脂フィルムを敷設して２ヵ月後に防草効果を確認した。
１）合成樹脂フィルム
・合成樹脂フィルムａ  ：  ＰＥフィルム（ポリエチレンフィルム）、厚さ＝３０μｍ、１ｍ×１ｍ。
・合成樹脂フィルムｂ  ：  ＯＰＰフィルム（二軸延伸成形ポリプロピレンフィルム）、厚さ＝２０μｍ、１ｍ×１ｍ。
・合成樹脂フィルムｃ  ：  ＯＰＰフィルム（二軸延伸成形ポリプロピレンフィルム）、厚さ＝６０μｍ、１ｍ×１ｍ。
【０１４４】
表１及び図１７に、実験１〜３のチガヤの芽の貫通状態を観察した結果を示す。
【０１４５】
【表１】
2010071028.tif 000003
【０１４６】
厚さ＝３０μｍのＰＥフィルム（ポリエチレンフィルム）を敷設した実験３の場合、チガヤの芽がフィルムを貫通して２０ｍｍ以上に成長している箇所が１５箇所観察された。一方、厚さ＝２０μｍのＯＰＰフィルム（二軸延伸成形ポリプロピレンフィルム）を敷設した実験１の場合、チガヤの芽がフィルムを貫通して２０ｍｍ以上に成長している箇所は１箇所のみであり、厚さ＝６０μｍのＯＰＰフィルム（二軸延伸成形ポリプロピレンフィルム）を敷設した実験２の場合、チガヤの芽は全くフィルムを貫通していなかった。
【０１４７】
上記の結果から、ＰＥフィルム（ポリエチレンフィルム）を用いた場合には防草効果を奏するといえる。また、ＯＰＰフィルム（二軸延伸成形ポリプロピレンフィルム）を用いた場合には、より優れた防草効果を奏することができるといえる。
【０１４８】
＜実験例１〜７＞
以下の手順にしたがって、表２に示す条件で防草シートを製造した。なお、実験例３〜７は、耐貫通型防草シートに該当する。
【０１４９】
複合不織布を、１９０℃に加熱溶融混合した改質アスファルト中を通過させ、複合不織布の両面に改質アスファルトの層を設けた３層シートを作製した。
【０１５０】
複合不織布（基材層）として、以下の３種類のものを用いた。
２）複合不織布
・複合不織布Ａ  ：  ＡＫＺＯ・ＮＯＢＥＬ社製、製品名：ｃｏｌｂａｃｋ；品種：ＳＮＳ１５５（不織布−スクリム−不織布の三層構造）、上層及び下層の不織布：芯鞘構造、鞘部：ナイロン、芯部：ポリエステル、中間層：ガラス繊維束のスクリム（シートの長さ方向と、長さ方向の垂直方向に２方向補強）、目付量＝１５５ｇ／ｍ２、１ｍ×６ｍ。
・複合不織布Ｂ  ：  ＡＫＺＯ・ＮＯＢＥＬ社製、製品名：ｃｏｌｂａｃｋ；品種：ＳＮＳ１２５（不織布−スクリム−不織布の三層構造）、上層及び下層の不織布：芯鞘構造、鞘部：ナイロン、芯部：ポリエステル、中間層：ガラス繊維束のスクリム（シートの長さ方向と、長さ方向の垂直方向に２方向補強）、目付量＝１２５ｇ／ｍ２、１ｍ×６ｍ。
・複合不織布Ｃ  ：  フロイデンベルグ社製、製品名：ＴＥＲＢＯＮＤ・Ｒ１５０（不織布−ガラス繊維束の２層構造）、上層の不織布：芯鞘構造、鞘部：ナイロン、芯部：ポリエステル、下層：ガラス繊維束（シートの長さ方向に１方向補強）、目付量＝１５０ｇ／ｍ２、１ｍ×６ｍ。
【０１５１】
ここで、製品名：ｃｏｌｂａｃｋ−品種：ＳＮＳ１５５、及び、製品名：ｃｏｌｂａｃｋ−品種：ＳＮＳ１２５は、芯鞘構造（鞘部：ナイロン、芯部：ポリエステル；ＰＥＴ）の繊維からなる不織布とガラス繊維のスクリムとを、不織布−スクリム−不織布の順に積層して、不織布の鞘部のナイロンの熱融着により一体に成形したものである。
【０１５２】
改質アスファルトは、ＳＢＳ改質タイプの針入度３０ｄｍｍ、又は、ＡＰＰ改質タイプの針入度２９ｄｍｍのものを用いた。
【０１５３】
３層シートの改質アスファルト層の片面（表面側）には、扁平状のスレートチップを５００ｇ／ｍ２〜１０００ｇ／ｍ２の範囲で付着させた。
【０１５４】
他方の面（裏面側）には、下記の合成樹脂フィルムを貼り合わせ、厚さ３．２ｍｍの５層シートを作製し、ボール紙の芯材にロール状に巻き付けて防草シートを製造した。
３）合成樹脂フィルム
・合成樹脂フィルムｄ  ：  ＨＤＰＥフィルム（高密度ポリエチレン）、厚さ＝２０μｍ。
・合成樹脂フィルムｅ  ：  ＯＰＰフィルム（二軸延伸成形ポリプロピレン）、厚さ＝２０μｍ。
【０１５５】
防草シートは、連続して生産することができた。また、いずれの防草シートの光線透過率も０％で、光を透過しなかった。
【０１５６】
得られた防草シートについて、引張強度など物性評価を行った結果を表３に示す。雑草を刈り取った地面の表面に、得られた防草シートを敷設して２ヵ月後に防草効果を評価した。また、図１８に、チガヤの芽の貫通状態を観察した結果を示す。なお、表３中の「施工性」とは、シートの重量、柔軟性やシワの発生状況等、防草シートの施工作業おける取扱性及び容易性を総合的に判断したものである。
【０１５７】
これらの結果から明らかなように、実験例１〜７のいずれの防草シートにおいても良好な防草効果が得られたが、特に、裏面層として、硬質合成樹脂の一種である二軸延伸成形ポリプロピレンを用いた場合には、高密度ポリエチレンを用いた場合と比較して、チガヤの芽の貫通数を低減し、より高い防草効果を得ることができた。
【０１５８】
また、二軸延伸成形ポリプロピレンを用いるとともに、基材層として目付量が１５５ｇ／ｍ２の複合不織布を使用した場合には、チガヤの芽が全く貫通しない（実験例６）、又は、チガヤの芽が貫通したとしてもその貫通数は極僅かであり（実験例４、実験例５及び実験例７）、貫通した目の長さも２０ｍｍ未満であった。貫通したチガヤの芽が、裏面の合成樹脂フィルムを貫通したのち、２０ｍｍ以上にさらに大きく成長できなかったのは、目付量の大きい複合不織布の繊維構造と、複合不織布に含浸した改質アスファルト層とが、芽の成長にとって大きな障害となったことによるものと推考される。
【０１５９】
【表２】
2010071028.tif 000004
【０１６０】
【表３】
2010071028.tif 000005
【図面の簡単な説明】
【０１６１】
【図１】本発明の防草構造体の上面模式図である。
【図２】本発明の防草構造体を設置するのに好適な防草区域の断面模式図である。
【図３】本発明の防草構造体に含まれる防草シート本体の一例の平面模式図である。
【図４】本発明の防草構造体に含まれるパッチシートの一例の平面模式図である。
【図５】防草区域に防草シート本体を敷設した場合の上面模式図である。
【図６】防草区域に防草シート本体を敷設した場合の断面模式図である。
【図７】防草シート本体上にパッチシートを敷設した場合の上面模式図である。
【図８】防草シート本体上にパッチシートを敷設した場合の断面模式図である。
【図９】防草シート本体上に、本体切断部とパッチ切断部との支柱中心位置を中心とした角度が、θであるようにパッチシートを敷設した場合の断面模式図である。
【図１０】従来の防草構造体の一例の平面模式図である。
【図１１】従来の防草構造体の一例の断面模式図である。
【図１２】本発明の防草構造体の、メッシュ状押さえ具を用いて防草シートを法面に固定した例の平面模式図である。
【図１３】本発明の防草構造体の、メッシュ状押さえ具を用いて防草シートを法面に固定した例の断面模式図である。
【図１４】本発明の防草構造体の一態様の法面付近の断面模式図であり、防草シートの固定のために法面に法面掘削部を設けた例である。
【図１５】本発明の防草構造体の一態様の法面付近の断面模式図であり、防草シートの固定のために、第二端部を法面に埋設した例である。
【図１６】耐貫通型防草シートの模式的断面図である。
【図１７】合成樹脂フィルムを敷設して２ヵ月後の、チガヤの芽の貫通状態を示す上面図である。
【図１８】防草シートを敷設して２ヵ月後の、チガヤの芽の貫通状態を示す上面図である。
【図１９】防草シートの貫通試験の説明図であり、（Ａ）貫通抵抗測定装置図、（Ｂ）測定治具の断面図、（Ｃ）測定治具を用いて防草シートの貫通試験を行った貫通状態図をそれぞれ示す。
【符号の説明】
【０１６２】
１  ：  表面層（無機質粒子）
２  ：  改質アスファルト層
３  ：  基材層
４  ：  改質アスファルト層
５  ：  裏面層
６  ：  測定用治具
７  ：  測定用治具の先端部
８  ：  防草シート
１０  ：  防草シート本体
１１  ：  本体開口部
１２  ：  第一端部
１３  ：  第二端部
１４  ：  第一の釘状器具
１５  ：  第二の釘状器具
１６  ：  鉄筋
１７  ：  防草シート本体重ね合わせ接着部（粘着材接着処理及び／又はテープ接着処理）
１８  ：  横方向端部（粘着材接着処理及び／又はテープ接着処理）
１９  ：  横方向端部（ピン固定処理）
２１  ：  舗装面
２２  ：  舗装面端部
２３  ：  支柱
２４  ：  ガードレール
２５  ：  ガードレール取付具
２６  ：  支柱中心位置
２７  ：  メッシュ状押さえ具  ３０  ：  法面
３１  ：  法面掘削部
３２  ：  法面埋設部
４０  ：  パッチシート
４２  ：  パッチ開口部
４３  ：  本体切断部
４４  ：  パッチ切断部
４５  ：  接着層（粘着材接着層及び／又はテープ接着層）
Ｄｈ  ：  支柱貫通前の本体開口部の形状の最長寸法
Ｄｐ  ：  支柱の断面の形状の最長寸法
Ｌ１  ：  防草シート本体の長さ
Ｌ２  ：  防草シート本体接着部の長さ
θ  ：  本体切断部とパッチ切断部との支柱中心位置を中心とした角度
【図３】
2010071028.tif 000006
【図４】
2010071028.tif 000007
【図１６】
2010071028.tif 000008
【図１７】
2010071028.tif 000009
【図１８】
2010071028.tif 000010
【図１９】
2010071028.tif 000011
【図１】
2010071028.tif 000012
【図２】
2010071028.tif 000013
【図５】
2010071028.tif 000014
【図６】
2010071028.tif 000015
【図７】
2010071028.tif 000016
【図８】
2010071028.tif 000017
【図９】
2010071028.tif 000018
【図１０】
2010071028.tif 000019
【図１１】
2010071028.tif 000020
【図１２】
2010071028.tif 000021
【図１３】
2010071028.tif 000022
【図１４】
2010071028.tif 000023
【図１５】
2010071028.tif 000024